【手続補正書】
【提出日】平成19年1月26日(2007.1.26)
【手続補正１】
【補正対象書類名】特許請求の範囲
【補正対象項目名】全文
【補正方法】変更
【補正の内容】
【特許請求の範囲】
【請求項１】
撮像手段、撮像画像データを表示する表示手段、並びに指示入力手段を有し、撮像して得られた画像データを圧縮符号化して記録媒体に保存する撮像装置であって、
画像データを一時的に記憶する記憶手段と、
前記指示入力手段の表示指示に応じて、前記記録媒体に保存された圧縮符号化された画像データを復号し、前記表示手段の画像表示領域の表示解像度に依存した第１の解像度の画像データと、前記第１の解像度よりは高い第２の解像度の画像データの少なくとも２種類の解像度の画像データを生成して前記記憶手段に格納する復号手段と、
前記指示入力手段の表示指示があった初期段階、及び、当該初期段階と同じ拡大率の表示指示があった段階では、前記第１の解像度の画像データに基づいて前記表示手段に表示する第１の表示制御手段と、
前記初期段階の拡大率を越える指示があった場合には、前記第２の解像度の画像データから表示すべき領域の画像を切り出し、前記表示手段の画像表示領域の表示解像度に依存した画像を生成し、前記表示手段に表示する第２の表示制御手段と
を備えることを特徴とする撮像装置。
【請求項２】
更に、前記指示入力手段による表示対象となる画像の切り換え指示があったか否かを判断する切り換え判断手段を備え、
該切り換え判断手段にて切り換え指示があったと判断した場合、前記復号手段は前記記録媒体に保存された他の画像データを復号対象にして復号することを特徴とする請求項１に記載の撮像装置。
【請求項３】
更に、前記指示入力手段から回転指示があったか否かを判断する回転指示判断手段と、
該回転指示判断手段で回転指示があったと判断した場合であって、その際の拡大率が前記初期段階と同じである場合には前記第１の解像度の画像データに基づいて回転処理して表示用画像データを生成し、前記表示手段に表示する第１の回転画像表示制御手段と、
前記回転指示判断手段で回転指示があったと判断した場合であって、その際の拡大率が前記初期段階を越える拡大率である場合には第２の解像度の画像データに基づいて回転処理して表示用画像データを生成し、前記表示手段に表示する第２の回転画像表示制御手段と
を備えることを特徴とする請求項１又は２に記載の撮像装置。
【請求項４】
更に、撮像時における前記撮像装置の姿勢を検出する姿勢検出手段と、
該姿勢検出手段の出力に基づいて姿勢情報を前記画像データに付加する付加手段とを備え、
前記回転指示判断手段は、前記付加手段により付加された前記姿勢情報に基づいて回転指示を判断することを特徴とする請求項３に記載の撮像装置。
【請求項５】
前記第１の回転画像表示制御手段により、前記第１の解像度の画像データに基づいて回転処理された表示用画像データが前記表示手段に表示されているときに、前記指示入力手段により拡大の指示があった場合には、該指示により前記第２の解像度の画像データに基づいて回転処理して表示用画像データを生成することを特徴とする請求項３又は４に記載の撮像装置。
【請求項６】
更に、前記指示入力手段からスクロール指示があったか否かを判断するスクロール判断手段と、
該スクロール判断手段でスクロール指示があったと判断した場合であって、その際の拡大率が前記初期段階と同じである場合には当該指示は無視し、前記初期段階の拡大率を越える拡大率で画像を表示中にスクロール指示があったと判断した場合には前記第２の解像度の画像データに基づいてスクロール後の画像データを生成し、前記表示手段に表示するスクロール制御手段と
を備えることを特徴とする請求項１乃至３のいずれか１項に記載の撮像装置。
【請求項７】
撮像手段、撮像画像データを表示する表示手段、指示入力手段、並びに、画像データを一時的に記憶する記憶手段を有し、撮像して得られた画像データを圧縮符号化して記録媒体に保存する撮像装置であって、
前記指示入力手段の表示指示に応じて、前記記録媒体に保存された圧縮符号化された画像データを復号し、前記表示手段の画像表示領域の表示解像度に依存した第１の解像度の画像データと、前記第１の解像度よりは高い第２の解像度の画像データの少なくとも２種類の解像度の画像データを生成して前記記憶手段に格納する復号工程と、
前記指示入力手段の表示指示があった初期段階、及び、当該初期段階と同じ拡大率の表示指示があった段階では、前記第１の解像度の画像データに基づいて前記表示手段に表示する第１の表示制御工程と、
前記初期段階の拡大率を越える指示があった場合には、前記第２の解像度の画像データから表示すべき領域の画像を切り出し、前記表示手段の画像表示領域の表示解像度に依存した画像を生成し、前記表示手段に表示する第２の表示制御工程と
を備えることを特徴とする撮像装置の制御方法。
【請求項８】
更に、前記指示入力手段による表示対象となる画像の切り換え指示があったか否かを判断する切り換え判断工程を備え、
該切り換え判断工程にて切り換え指示があったと判断した場合、前記復号工程は前記記録媒体に保存された他の画像データを復号対象にして復号することを特徴とする請求項７に記載の撮像装置の制御方法。
【請求項９】
更に、前記指示入力手段から回転指示があったか否かを判断する回転指示判断工程と、
該回転指示判断工程で回転指示があったと判断した場合であって、その際の拡大率が前記初期段階と同じである場合には前記第１の解像度の画像データに基づいて回転処理して表示用画像データを生成し、前記表示手段に表示する第１の回転画像表示制御工程と、
前記回転指示判断工程で回転指示があったと判断した場合であって、その際の拡大率が前記初期段階を越える拡大率である場合には前記第２の解像度の画像データに基づいて回転処理して表示用画像データを生成し、前記表示手段に表示する第２の回転画像表示制御工程と
を備えることを特徴とする請求項７又は８に記載の撮像装置の制御方法。
【請求項１０】
前記撮像装置が有する、撮像時における前記撮像装置の姿勢を検出する姿勢検出手段の出力に基づいて姿勢情報を前記画像データに付加する付加工程とを備え、
前記回転指示判断工程は、前記付加工程により付加された前記姿勢情報に基づいて回転指示を判断することを特徴とする請求項９に記載の撮像装置の制御方法。
【請求項１１】
前記第１の回転画像表示制御工程により、前記第１の解像度の画像データに基づいて回転処理された表示用画像データが前記表示手段に表示されているときに、前記指示入力手段により拡大の指示があった場合には、該指示により前記第２の解像度の画像データに基づいて回転処理して表示用画像データを生成することを特徴とする請求項９又は１０に記載の撮像装置の制御方法。
【請求項１２】
更に、前記指示入力手段からスクロール指示があったか否かを判断するスクロール判断工程と、
該スクロール判断工程でスクロール指示があったと判断した場合であって、その際の拡大率が前記初期段階と同じである場合には当該指示は無視し、前記初期段階の拡大率を越える拡大率で画像を表示中にスクロール指示があったと判断した場合には前記第２の解像度の画像データに基づいてスクロール後の画像データを生成し、前記表示手段に表示するスクロール制御工程と
を備えることを特徴とする請求項７乃至９のいずれか１項に記載の撮像装置の制御方法。
【請求項１３】
請求項７乃至１２のいずれか１項に記載の撮像装置の制御方法を、コンピュータに実行させるためのコンピュータプログラム。
【手続補正２】
【補正対象書類名】明細書
【補正対象項目名】００１１
【補正方法】変更
【補正の内容】
【００１１】
この課題を解決するため、例えば本発明の撮像装置は以下の構成を備える。すなわち、
撮像手段、撮像画像データを表示する表示手段、並びに指示入力手段を有し、撮像して得られた画像データを圧縮符号化して記録媒体に保存する撮像装置であって、
画像データを一時的に記憶する記憶手段と、
前記指示入力手段の表示指示に応じて、前記記録媒体に保存された圧縮符号化された画像データを復号し、前記表示手段の画像表示領域の表示解像度に依存した第１の解像度の画像データと、前記第１の解像度よりは高い第２の解像度の画像データの少なくとも２種類の解像度の画像データを生成して前記記憶手段に格納する復号手段と、
前記指示入力手段の表示指示があった初期段階、及び、当該初期段階と同じ拡大率の表示指示があった段階では、前記第１の解像度の画像データに基づいて前記表示手段に表示する第１の表示制御手段と、
前記初期段階の拡大率を越える指示があった場合には、前記第２の解像度の画像データから表示すべき領域の画像を切り出し、前記表示手段の画像表示領域の表示解像度に依存した画像を生成し、前記表示手段に表示する第２の表示制御手段とを備える。
更に、前記指示入力手段による表示対象となる画像の切り換え指示があったか否かを判断する切り換え判断手段を備え、該切り換え判断手段にて切り換え指示があったと判断した場合、前記復号手段は前記記録媒体に保存された他の画像データを復号対象にして復号することを特徴とする。